(57)【特許請求の範囲】
【請求項１】
遠用部頂点屈折力の異なる左右一対の累進多焦点レンズを用いた眼鏡であって、前記左右一対の累進多焦点レンズのうち遠用部頂点屈折力がより負の屈折力を有する方の累進多焦点レンズの中間部領域における遠用部領域近辺の平均屈折力変化が、他方の累進多焦点レンズの中間部領域における遠用部領域近辺の平均屈折力変化より大きいことを特徴とする眼鏡。
【請求項２】
遠用部頂点屈折力の異なる左右一対の累進多焦点レンズを用いた眼鏡であって、前記左右一対の累進多焦点レンズのうち遠用部頂点屈折力がより負の屈折力を有する方の累進多焦点レンズの中間部領域における遠用部領域近辺の平均屈折力変化が、他方の累進多焦点レンズの中間部領域における遠用部領域近辺の平均屈折力変化より大きいことを特徴とする眼鏡の製造方法。
【発明の詳細な説明】
【０００１】
【発明の属する技術分野】
本発明は、遠用部と近用部とで異なるプリズム作用を有する累進多焦点レンズに関するものである。
【０００２】
【従来の技術】
累進多焦点レンズは遠くを見るための遠用屈折力を有する遠用部と、手元を見るための近用屈折力を有する近用部と、前記遠用部と近用部との間に有って屈折力が連続的に変化する中間部とを有する。遠用屈折力と近用屈折力との差を加入屈折力と呼び、一般的には０．５０Ｄ（ディオプトリ）〜４．００Ｄの屈折力範囲で０．２５Ｄ毎に予め用意されている。従って、眼鏡装用者の老視の程度に合わせて適切な加入屈折力を選択することができる。このように、遠用部屈折力と近用部屈折力とは実使用上問題の無い範囲で自由に選択ができるようになっている。
【０００３】
一般に、眼鏡装用者の処方の中には、上記の遠用部屈折力や近用部屈折力といった焦点作用に関係した屈折力の他に、視線の方向を変化させる作用を有するプリズム屈折力が存在する。累進多焦点レンズを製造する場合は遠用部のプリズム屈折力を決めると、近用部のプリズム屈折力は累進屈折面の形状や遠用部屈折力および加入屈折力によって決まってしまい、近用部のプリズム屈折力を自由に選択又は指定することはできなかった。
【０００４】
【発明が解決しようとする課題】
しかしながら、遠用部のプリズム屈折力と近用部のプリズム屈折力は本来別々に処方されるのが望ましいことは言うまでもない。左右眼のプリズムが正しく処方されない場合には、物が二重に見えたり遠近感が異なって見えたりするので、眼鏡を長時間掛けることが苦痛になる。特に左右の遠用部頂点屈折力や加入屈折力が異なる場合には、近用部分でのプリズム屈折力の垂直成分が著しく違う場合があり、両眼視の障害なっている。
【０００５】
本発明の累進多焦点レンズは、遠用部のプリズム屈折力の垂直成分と、近用部のプリズム屈折力の垂直成分とを別々に指定できるようにすることで、遠方視時および近方視時のどちらにおいても快適に両眼視を行うことができ、長時間の装用を可能にする眼鏡レンズを提供する。
【０００８】
【課題を解決するための手段】
すなわち本発明は、遠用部頂点屈折力の異なる左右一対の累進多焦点レンズを用いた眼鏡であって、前記左右一対の累進多焦点レンズのうち遠用部頂点屈折力がより負の屈折力を有する方の累進多焦点レンズの中間部領域における遠用部領域近辺の平均屈折力変化が、他方の累進多焦点レンズの中間部領域における遠用部領域近辺の平均屈折力変化より大きいことを特徴とする。
【００１１】
また本発明は、遠用部頂点屈折力の異なる左右一対の累進多焦点レンズを用いた眼鏡であって、前記左右一対の累進多焦点レンズのうち遠用部頂点屈折力がより負の屈折力を有する方の累進多焦点レンズの中間部領域における遠用部領域近辺の平均屈折力変化が、他方の累進多焦点レンズの中間部領域における遠用部領域近辺の平均屈折力変化より大きいことを特徴とする眼鏡の製造方法である。
【００１２】
【発明の実施の形態】
図１は累進多焦点レンズの概略図である。レンズ１の上部に遠用部領域１１があり、レンズ下部に近用部領域１３がある。中間部領域１２は遠用部領域１１と近用部領域１３との間にある。遠用部領域１１の下端に遠用部プリズム測定基準点２１があり、近用部領域１３の上端に近用部プリズム測定基準点２２が存在する。本発明の累進多焦点レンズでは遠用部プリズム測定基準点２１および近用部プリズム測定基準点２２はそれぞれ遠用部設計基準点および近用部設計基準点に対応している。遠用部プリズム測定基準点２１と近用部プリズム測定基準点２２とを通り遠用部から近用部に掛けて引かれた線分は主注視線２３であり、眼鏡装用者の視線がもっとも頻繁に通過する仮定された設計上の仮想線である。
【００１３】
図２は主注視線上の平均屈折力の変化を表す。グラフの横軸は遠用部プリズム測定基準点２１を中心とした各点の位置を表しており、近用部に向かう側をプラスとしている。縦軸は平均屈折力を表す。本実施例では遠用部プリズム基準点２１より左側、即ちレンズの上部では屈折力が一定であり、遠用部プリズム測定基準点２１から近用部プリズム測定基準点２２に掛けて直線的に屈折力が変化する。さらに近用部プリズム測定基準点より右側、即ちレンズの下部では屈折力が一定となっている。
【００１４】
一般的にプレンティスの式として知られているプリズム屈折力と頂点屈折力との関係式を以下に示す。
【００１５】
【数１】
0003788083.tif 000002
【００１６】
即ち頂点屈折力Ｄ（Ｄ）のレンズにおいて光軸からｈ（ｃｍ）離れた位置でのプリズム屈折力Ｐ（Δ）は上数で表される。
【００１７】
光軸にＰ０（Ｄ）のプリズム屈折力が付いている場合には、数式１の拡張として以下の数式２が使える。
【００１８】
【数２】
0003788083.tif 000003
【００１９】
この、数式１または数式２は、レンズの頂点屈折力が距離ｈの間で一定であることを前提としているため、実際のレンズでは近似的な計算にしか用いられていない。
【００２０】
しかしながら、距離ｈとして非常に短い距離Δｈ１（ｃｍ）を考えると、実際の眼鏡レンズでは頂点屈折力がほぼ一定と考えて良くなる。即ち、光軸から微小距離Δｈ１だけ離れた点Ｑ１におけるプリズム屈折力Ｐは、以下の数式３により正確に計算できる。
【００２１】
【数３】
0003788083.tif 000004
【００２２】
またΔh１離れた点Ｑ１を基準にさらにΔｈ２（ｃｍ）離れた点Ｑ２におけるプリズム量は以下の数式で表される。
【００２３】
【数４】
0003788083.tif 000005
【００２４】
さらにΔｈ３、Δｈ４．．．と考えていくと、一般的に光軸から任意の距離ｈ（ｃｍ）離れた位置でのプリズム量は以下の数式で表されることは容易に証明できる。
【００２５】
【数５】
0003788083.tif 000006
【００２６】
ここで、数式５を累進多焦点レンズに適用することを考える。図２のように遠用部プリズム基準点２１から加入度が直線的に変化している場合は、数式５の中のＤ（ｘ）は
【００２７】
【数６】
0003788083.tif 000007
【００２８】
という簡単な数式に置き換えることができる。ここでａは比例定数であり、簡単な計算により累進帯の長さＬ（ｃｍ）と加入度Ａｄｄ（Ｄ）から以下のように求めることができる。
【００２９】
【数７】
0003788083.tif 000008
【００３０】
数式６、７を数式５に代入して近用部プリズム基準点２２まで積分すると以下のとおり近用部プリズム基準点２２でのプリズム量が計算できる。
【００３１】
【数８】
0003788083.tif 000009
【００３２】
また、図３に示すように遠用部プリズム基準点２１から加入度の増加がゆっくり進み、近用部プリズム基準点２２の近くで急な増加をするように加入度の変化を設定すると、近用部プリズム基準点２２でのプリズム量を変えることができる。
【００３３】
一例として、加入度の変化が以下のような２次式で表される場合を考える。
【００３４】
【数９】
0003788083.tif 000010
【００３５】
数式９を数式５に代入して計算すると、近用部プリズム基準点２２におけるプリズム量は以下のようになる。
【００３６】
【数１０】
0003788083.tif 000011
【００３７】
さらに、図４のように遠用部プリズム基準点２１の近くで加入度の増加が大きく、近用部プリズム基準点の近傍では緩やかに変化する場合の一例として加入度の変化が数式１１のように表される場合には、近用部プリズム基準点でのプリズム量は数式１２のようになる。
【００３８】
【数１１】
0003788083.tif 000012
【００３９】
【数１２】
0003788083.tif 000013
【００４０】
数式８、数式１０、数式１２を比較すると、累進帯の長さＬが同じでも加入度の変化の仕方により近用部プリズム基準点におけるプリズム量がことなることがわかる。逆に言えば、加入度の変化のさせ方をコントロールすることにより、近用部のプリズム量をある程度自由に設定できることが、本発明者の研究により判明した。なお、以上の議論は全て図１の主注視線２３に沿った面内の議論であり、このため加入度変化の仕方でプリズム量をコントロールできるのは、主注視線に平行な方向の、即ちレンズの垂直方向のプリズムに関するものである。
【００４１】
表１に加入度別に、各加入度変化毎の近用部プリズム基準点でのプリズム量を示す。累進帯の長さは１．６ｃｍとした。加入度０．５０Ｄの場合でも▲１▼と▲２▼で０．２５Ｄ以上の差を付けられ、加入度３．５０Ｄに至っては▲１▼と▲３▼で１．７９の差を付けられることが判った。
【００４２】
【表１】
0003788083.tif 000014
【００４３】
遠用部に度数Ｄ０が付いているレンズの場合は、今までの議論の中で加入度による度数の変化をＤAdd（ｘ）として、Ｄ（ｘ）＝Ｄ０＋ＤAdd（ｘ）で近用部プリズム屈折力の数式を計算すればよい。例えば、遠用度数が−３．００Ｄ、加入度２．００Ｄ、累進帯長１．６ｃｍで、加入度が直線的に変化する累進多焦点レンズでは、Ｄ（ｘ）＝−３．００＋２．００／１．６＊ｘとして計算すると、近用部プリズム測定点２２でのプリズム量は−３．２ＰＤ（プリズムディオプトリー）となる。符号のマイナスはプリズムの基底方向がレンズの外周部に向かっていることを表しており、レンズを眼鏡として使用する場合は基底下方のプリズムになる。
【００４４】
加入度数が同じで加入度の変化も同じ場合、遠用部の屈折力が左右で１．００Ｄ違うと、遠用部から１．６ｃｍ離れた場所では１．６ＰＤのプリズム差が生じる。例えば、右レンズがＳ−３．００Ｄ、加入度２．００Ｄ、左レンズがＳ−４．００Ｄ、加入度２．００Ｄの場合、左右とも加入度の変化が直線的で、累進帯長１．６ｃｍの場合、右レンズの近用部プリズム測定点２２でのプリズムは前述したように３．２ＰＤ基底下方のプリズムが付き、左レンズでは４．８ＰＤ基底下方のプリズムとなり、１．６ＰＤもの差が生じる。本発明の累進多焦点レンズでは、例えば右レンズの加入度の変化をＤ（ｘ）＝ａ・ｘ２の変化とし、左レンズはＤ（ｘ）＝ａ・√ｘの変化とすると、右レンズの近用部プリズム基準点でのプリズム量は３．８ＰＤ基底下方、左レンズでは４．３８ＰＤ基底下方となり、その差は０．５８ＰＤに減少する。加入度の変化は説明しやすいように単純な関数で表せるもので説明したが、より複雑な関数による変化でも良いし、離散的な数値データによるものでも本発明の原理は変わらない。即ち、加入度の変化のさせ方に特に制限はなく、左右のプリズム差をゼロにするような変化の仕方に設定することもできる。
【００４５】
一般的には、遠用部付近で加入度の変化が大きく近用部付近で加入度の変化が小さい場合には近用部でのプリズムは基底上方に大きいプリズムが入りやすく、逆に遠用部付近での加入度の変化が小さい場合には基底上方に比較的小さなプリズムとなる。このことは、左右のレンズの遠用部屈折力が違う場合には、よりマイナスの屈折力を有するレンズの加入度の変化を遠用部付近で大きくしてやればよいことになる。なぜなら、遠用部の屈折力がよりマイナスの屈折力を有するレンズの方が、近用部ではより基底下方のプリズムが付きやすいので、加入度の変化を遠用部付近で大きくすることにより、近用部のプリズムをより基底上方に補正できるからである。
【００４６】
つぎに図５に本発明の累進多焦点レンズの製造方法を表すブロック図を示す。入力情報３１は眼鏡装用者のレンズ処方であり、左右レンズの球面屈折力、乱視屈折力、乱視軸および加入度である。演算３２において球面屈折力、乱視屈折力および乱視軸の情報からレンズの上下方向の屈折力を求める。これは、近用部の上下方向のプリズム屈折力に影響するのは、遠用部の上下方向の屈折力がほとんどであるためである。演算３３ではあらかじめ記憶されている累進帯の長さや、遠用部の基準プリズムと、演算３２で求めた遠用部の上下方向の屈折力、入力情報３１の中の加入度を用い、加入度変化が直線的な場合の近用部のプリズムを求める。演算３４では左右の近用部のプリズム値の比較を行い、左右のプリズム差があらかじめ設定された許容差以下の場合は計算を終了する。左右のプリズム差があらかじめ設定された許容差を越える場合には、演算３５において左右レンズの加入度の変化の仕方を設定し直し演算３３へ戻り再計算を行う。このとき演算３５では、近用部の基底上方プリズムのより小さい方のレンズの加入度変化を遠用部付近で大きくなるように、他方のレンズの加入度変化を遠用部付近でゆっくり変化するように設定する。３３，３４、３５のサイクルは左右の近用部プリズムがあらかじめ設定された許容差以下になるまで繰り返される。プリズム差が許容差以下になった場合には計算を終了し、その時点で設定されている加入度変化の情報を次の行程に送る。次の行程では、加入度変化の設定値に従い累進屈折面を創生して製造装置に加工指示をだしたり、あらかじめ決められた累進屈折面形状のデータの中から指示された加入度変化に近いデータを探し出して加工指示を出す。
【００４７】
本発明の累進多焦点レンズでは累進帯の長さは左右で同じで良いので、近用部の位置は左右で同じ場所に設定できるという利点がある。また、加入度の変化は細かく設定できるため、どのような不同視の場合でも対応可能である。
【００４８】
また、本実施例では説明を簡単にするために累進帯の下端である近用部プリズム測定点でのプリズムを扱ってきたが、近用部領域１３の中のどこかでプリズムを合わせることはもちろん可能である。また、遠用部に所定のプリズムが付いている場合や、左右の加入度数が異なる場合でも左右の近用部プリズムを合わせることが可能である。さらには、近用部のプリズム量を、左右別々に設定することもできるので、眼科処方などで近用プリズムが指定された場合にも対応が可能となる。
【図面の簡単な説明】
【図１】  本発明の累進多焦点レンズの概念図。
【図２】  加入度の変化を示す図。
【図３】  加入度の変化を示す図。
【図４】  加入度の変化を示す図。
【図５】  本発明の累進多焦点レンズの製造方法を示すブロック図。
【符号の説明】
１１      遠用部領域
１２      中間部領域
１３      近用部領域
２１      遠用部プリズム測定基準点（遠用部設計基準点）
２２      近用部プリズム測定基準点（近用部設計基準点）
２３      中間部主注視線
３１      入力情報
３２      遠用部上下方向屈折力の演算
３３      近用部上下方向のプリズム演算
３４      近用部の左右のプリズム差の判定
３５      加入度変化の設定
【図１】
0003788083.tif 000015
【図２】
0003788083.tif 000016
【図３】
0003788083.tif 000017
【図４】
0003788083.tif 000018
【図５】
0003788083.tif 000019